(57)【特許請求の範囲】
【請求項１】
コインが案内される垂直方向に伸びたコイン通路（52）と、前記コイン通路に隣接して設けられ、かつ、コインの進行方向に対してクロスする方向に間隔をおいて配置した第１のセンサと第２のセンサとを有し、前記第１と第２のセンサはコアにコイルを巻き付けたものであるコインセレクタのコインセンサにおいて、
前記コアは、横手方向に長く伸びた断面矩形のコア本体（11Ａ）と該コア本体の両端部に該コア本体と直角に同方向に屈曲して伸びる断面矩形の端部コア（12Ｂ、13Ｂ）とが一体に形成されたコアであって、前記コアの端部コア（12Ｂ、13Ｂ）に、それぞれコイル（12Ｃ、13Ｃ）を巻回し第１センサ部および第２センサ部を形成してコインセンサと成し、
このコインセンサをそのコア本体（11Ａ）が前記コイン通路（52）の幅方向に沿って位置し、かつ各端部コア（12Ｂ、13Ｂ）が前記コイン通路（52）側に向くように配設し、前記コイン通路（52）の左端と右端において、前記各端部コア（12Ｂ、13Ｂ）の矩形状のコア端面が前記コイン通路（52）と相対していることを特徴とするコインセレクタのコインセンサ。
【請求項２】
横手方向に長く伸びた断面矩形の前記コア本体の両端部から直角に同方向に屈曲して伸びる断面矩形の前記端部コアにそれぞれコイルを巻いて構成した前記一対のコインセンサを、前記コイン通路を挟んで相対配置させたことを特徴とする請求項１のコインセレクタのコインセンサ。
【請求項３】
コインが案内される垂直方向に伸びたコイン通路（52）と、前記コイン通路に隣接して設けられ、かつ、コインの進行方向に対してクロスする方向に間隔をおいて配置した第１のセンサと第２のセンサとを有し、前記第１と第２のセンサはコアにコイルを巻き付けたものであるコインセレクタのコインセンサにおいて、
前記コアが、横手方向に長く伸びた断面矩形のコア本体（14Ａ）と該コア本体の両端部に該コア本体と直角に同方向に屈曲して伸びる断面矩形の端部コア（15Ｂ、16Ｂ）とが一体に形成されたコアであって、前記コアのコア本体（14Ａ）にコイル（14Ｃ）を巻回してコインセンサと成し、このコインセンサをそのコア本体（14Ａ）が前記コイン通路（52）の幅方向に沿って位置し、かつ各端部コア（15Ｂ、16Ｂ）がコイン通路（52）側に向くように配設し、前記コイン通路（52）の左端と右端において、前記各端部コア（15Ｂ、16Ｂ）の矩形状のコア端面が前記コイン通路（52）と相対していることを特徴とするコインセレクタのコインセンサ。
【請求項４】
前記コア本体（14Ａ）にコイル（14Ｃ）を巻いて構成した一対の前記コインセンサを、コイン通路を挟んで相対配置させたことを特徴とする請求項３のコインセレクタのコインセンサ。
【発明の詳細な説明】
【０００１】
【発明が属する技術分野】
本発明は、通路を進行するコインの真偽の判定を精度良く行うことが出来るコインセンサに関する。
特に本発明は、毎回通過するコインの位置が一定せずとも直径に関する情報を正確に得ることができるコインセンサのコアに関する。
なお、本明細書で使用する「コイン」は、通貨であるコインの他、ゲーム機独自のメダルやトークンの総称である。
【０００２】
【従来の技術】
この種コインセレクタのコインセンサ及び判定回路を図１８と図１９を用いて説明する。
以下の説明において、「コインセンサ」は「センサ」と略称する。
５０はセレクタ本体、５１はコイン受入口、５２はコイン通路である。
コイン通路５２は、コインＣの直径方向に離して配置した周面案内体５３、５４と、これら周面案内体５３，５４を挟んで配置した側板５５、５６とより構成されている。
コイン通路５２は断面矩形の上下方向に伸びるトンネル状である。
コイン通路５２の軸線Ｌは垂直である。
【０００３】
一対の周面案内体５３、５４との間隔は、数種類のコインを受け入れるため、使用が予定されるコインの最大直径よりも少し大きくしてある。
一対の側板５５、５６との間隔は、使用が予定されるコインの最大厚みよりも少し大きい。
【０００４】
軸線Ｌと直角にクロスする直線Ｍ上に中心が位置するよう周面案内体５３近傍の側板５５のコイン通路５２と反対側の面にはコインセンサ５７が固定してある。
センサ５７は、フェライトなどの強磁性材料で形成された円筒形のコア５７Ｂにコイル５７Ｃを巻き付けてある。
【０００５】
センサ５７に相対したコイン通路５２と反対側の側板５６にはセンサ６０が固定してある。
センサ６０は、円筒形のコア６０Ｂにコイル６０Ｃが巻き付けられている。
【０００６】
直線Ｍ上に中心が位置するよう周面案内体５４近傍の側板５５のコイン通路５２と反対側の面にはセンサ６１が固定してある。
センサ６１は、円筒形のコア６１Ｂにコイル６１Ｃを巻き付けてある。
【０００７】
センサ６１に相対したコイン通路５２と反対側の側板５６の側面にはセンサ６２が固定してある。
センサ６２は、円筒形のコア６２Ｂにコイル６２Ｃが巻き付けられている。
第１のセンサとしてのセンサ５７と６０との組の左端センサ６３は、コインＣの左端部の相対面積を検出する。
第２のセンサとしてのセンサ６１と６２との組の右端センサ６４は、コインＣの右端部の相対面積を検出する。
【０００８】
６５、６６は、コイン通路５２の中央に相対して配置した前記センサ６１と同様構造のセンサである。
これらセンサ６５と６６とで材質センサ６７と厚みセンサ６８とを構成している。
センサ６５の円筒状のコア６５Ｂには、コイル６５Ｃが巻き付けられている。
コイル６５Ｃの外側にはコイル６５Ｄが巻き付けられている。
センサ６６の円筒状のコア６６Ｂには、コイル６６Ｃが巻き付けられている。
【０００９】
コイル６６Ｃの外側にはコイル６５Ｄが巻き付けられている。
コイル６５Ｃはコイル６６Ｃに接続してあり、コア６５Ｂ、６６Ｂと共にコインの厚みセンサ６８を構成している。
コイル６５Ｄとコイル６６Ｄとを接続することにより、コア６５Ｂ、６６Ｂと共に材質センサ６７を構成している。
左端センサ６３のコイル５７Ｃの巻始めはセンサ６１のコイル６１Ｃの巻終わりに接続してある。
【００１０】
コイル５７Ｃの巻終わりはセンサ６０のコイル６０Ｃの巻終わりに接続してある。
コイル６０Ｃの巻初めはセンサ６２のコイル６２Ｃの巻終わりに接続してある。
コイル６２Ｃの巻初めは、発振回路７０に接続してある。
コイル６１Ｃの巻初めは、発振回路７０に接続してある。
【００１１】
厚みセンサ６８のコイル６５Ｃの巻終わりは発振回路７１に接続してある。
コイル６５Ｃの巻始めはセンサ６６のコイル６６Ｃの巻終わりに接続してある。
コイル６６Ｃの巻始めは発振回路７１に接続してある。
【００１２】
材質センサ６７のコイル６５Ｄの巻始めは発振回路６９に接続してある。
コイル６５Ｄの巻終わりはセンサ６６のコイル６６Ｄの巻終わりに接続してある。
コイル６６Ｄの巻始めは、発振回路６９に接続してある。
発振回路６９は検波回路７２に接続してある。
発振回路７０は検波回路７３に接続してある。
発振回路７１は検波回路７４に接続してある。
【００１３】
検波回路７２、７３、７４はそれぞれＡ／Ｄ変換回路７５、７６、７７を介して制御回路としてのマイクロプロセッサ７８に接続してある。
８０はコイン通路５２の軸線Ｌに対し斜めに交差するよう配置したキャンセル板である。
【００１４】
キャンセル板８０がコイン通路５２の延長上に突出している場合、コインＣがキャンセル板８０に案内されてキャンセル通路８１に導かれ、図示しない返却口に返される。
【００１５】
キャンセル板８０は、通常図示しないスプリングで引かれてコイン通路５２の延長上に突出している。
しかし、正コインと判別され、マイクロプロセッサ７８の信号でソレノイド８２が励磁された場合、キャンセル板８０がコイン通路５２の延長上から外れる。
そして、コインＣは垂直に落下して図示しない保留部に案内される。
８３はマイクロプロセッサ７８のメモリである。
【００１６】
次にこの従来装置を自動販売機に使用したときの作用を説明する。
自動販売機の投入口に投入されたコインＣは、コイン受入口５１からコイン通路５２に入った後、垂直に落下する。
このコイン通路５２を落下する過程で左端センサ６３、右端センサ６４部を通過する。
左端センサ６３のコイル５７Ｃ、６０Ｃ及び右端センサ６４のコイル６１Ｃ、６２Ｃには発振回路７０により高周波が印可されている。
【００１７】
これにより、コア５７Ｂ、６０Ｂ、６１Ｂ、６２Ｂには磁束が発生している。
すなわち、各コア５７Ｂ、６０Ｂ、６１Ｂ、６２Ｂにはコイン通路５２に達する磁束を発生している。
したがって、これらの磁束を導電体であるコインＣが通過するとコインＣ内にうず電流が流れる。
このため各コイル５７Ｃ、６０Ｃ、６１Ｃ、６２Ｃの磁束が損失する。
【００１８】
この磁束損失により、発振回路７０の出力が変化する。
この磁束損失は、コア５７Ｂ、６０Ｂ、或いは６１Ｂと６２ＢとコインＣとの相対面積に比例した大きさである。
検波回路７２は、発振回路６９の出力を電圧に変換する。
Ａ／Ｄ変換回路７５は、検波回路７３の出力をデジタル値に変換してマイクロプロセッサ７８に送信する。
【００１９】
同様に、厚みセンサ６８のコイル６５Ｃによりコア６５Ｂに発生している磁束、及び、センサ６６のコイル６６Ｃによりコア６６Ｂに発生している磁束もコインＣの厚みによって影響を受け、発振回路７１の出力が変化する。
検波回路７４は、発振回路７１の出力を電圧に変換する。
Ａ／Ｄ変換回路７７は、検波回路７４の出力をデジタル値に変換してマイクロプロセッサ７８に送信する。
【００２０】
さらに、材質センサ６７のコイル６５Ｄによりコア６５Ｂに発生している磁束、及び、センサ６６のコイル６６Ｄによりコア６６Ｂに発生している磁束は、コインＣの中央部の材質によって影響を受け、発振回路６９の出力が変化する。
検波回路７２は、発振回路６９の出力を電圧に変換する。
Ａ／Ｄ変換回路７６は、検波回路７２の出力をデジタル値に変換してマイクロプロセッサ７８に送信する。
【００２１】
マイクロプロセッサ７８は、メモリ８３に記憶されたプログラムに基づいてＡ／Ｄ変換回路７５からの電圧値に基づいて、予め設定された基準値と比較してコインＣが所定の直径であるか判別する。
また、Ａ／Ｄ変換回路７６からの電圧値に基づいて、予め設定された基準値と比較して所定の材質であるか判別する。
更にまた、Ａ／Ｄ変換回路７７からの電圧値に基づいて、予め設定された基準値と比較して所定の厚みであるか判別する。
【００２２】
直径、材質、厚みの全てが真正範囲であると判別した場合、マイクロプロセッサ７８は、ソレノイド８２を励磁してキャンセル板８０をコイン通路５２の延長上から退避させる。
そして、コインＣを保留部にガイドする。
【００２３】
直径、材質、厚みの一つでも基準値の範囲外の場合、ソレノイド８２は励磁されない。
したがって、キャンセル板８０はコイン通路５２の延長上に位置している。
このため、コインＣはキャンセル板８０にガイドされてキャンセル通路８１へ反らされて後、返却口へ戻される。
【００２４】
ところでコイン通路５２のコインＣの直径方向の幅Ｗ（図１８参照）は、複数種類のコインに対応できるように、使用が想定される最大コインの直径よりもわずかに大きく構成してある。
このため、コインＣは入口５１から入ってコイン通路５２を落下するが、コイン通路５２のどこを通過するかは不明である。
【００２５】
例えば、図２０（Ａ）に示すように大径のコインがコイン通路５２の中央部を通過した場合、コア６１Ｂ、６２Ｂとコア５７Ｂ、６０Ｂとはそれぞれほぼ４分の３程度がコイルＣと相対する。
図２０において、コア５７Ｂ（６０Ｂ）、６１Ｂ（６２Ｂ）のコインＣとの相対部は、ハッチングして図示してある。
【００２６】
しかるに、図２０（Ｂ）に図示するように、大径のコインＣがコイン通路５２の左側に偏って落下した場合、コア５７Ｂ（６０Ｂ）とはほぼ全面積が相対して通過するが、コア６１Ｂ（６２Ｂ）とはほぼ半分が相対する。
【００２７】
このため、図２０（Ｂ）に示すようにコア６１Ｂ（６２Ｂ）との相対面積は、左側に偏って通過した場合、クロスハッチングした部分を除いた白地部の面積分、前記のように中央部を通過した場合に比較して相対面積が小さくなる。
【００２８】
この結果、検波回路７５の出力は図２１に示すように、偏って通過した場合はラインｖとなり、中央を通過した場合はラインＶになり、ΔＶ１の電圧差が発生する。
図２２を参照して、同じ条件で小径のコインｃを使用した場合について説明する。
【００２９】
コインｃが図２２（Ｂ）のコイン通路５２の左側の偏った位置を通過する場合、コインｃが図２２（Ａ）のように中央部を通過したときに比し図２２（Ｂ）で示すように、クロスハッチングした分、コア５７Ｂ（６０Ｂ）及び６１Ｂ（６２Ｂ）とに相対するコインｃの面積が広くなる。
【００３０】
この結果、図２３に示すように偏って通過した場合はラインＹになり、中央部を通過した場合はラインｙになり、ΔＶ２の電圧差が生じる。
このように同一コインでもコアに対する相対位置によってはΔＶ１やΔＶ２の電位差が発生する。
【００３１】
したがって、正偽判定の閾値はこの差を勘案して設定せねばならず、難しいものであった。
すなわち、電位差の許容範囲を狭くすると正貨を偽貨と判定する比率が高くなり、許容範囲を大きくすると偽貨を正貨と判定する率が高くなるという問題がある。
【００３２】
【発明が解決しようとする課題】
本発明は、コインの閾値の設定を容易にできるようにすることを目的とするものである。
更に詳しくは、コインの通過位置が変化してもセンサの出力変化が生じないよう
にして選別性能を向上することを目的とする。
【００３３】
【課題を解決するための手段】
この目的を達成するため本発明にかかるコインセレクタは、コインが案内される垂直方向に伸びたコイン通路と、前記コイン通路に隣接して設けられ、かつ、コインの進行方向に対してクロスする方向に間隔をおいて配置した第１のセンサと第２のセンサとを有し、前記第１と第２のセンサはコアにコイルを巻き付けたものであるコインセレクタのコインセンサにおいて、
前記コアは、横手方向に長く伸びた断面矩形のコア本体と該コア本体の両端部に該コア本体と直角に同方向に屈曲して伸びる断面矩形の端部コアとが一体に形成されたコアであって、前記コアの端部コアに、それぞれコイルを巻回し第１センサ部および第２センサ部を形成してコインセンサと成し、
このコインセンサをそのコア本体が前記コイン通路の幅方向に沿って位置し、かつ各端部コアが前記コイン通路側に向くように配設し、前記コイン通路の左端と右端において、前記各端部コアの矩形状のコア端面が前記コイン通路と相対しているコインセレクタのコインセンサとしたものである。なお、「矩形状」とは、長方形、正方形の他、四角形の一部の辺が弧状になっているほぼ四角形等を含む四角形状の総称である。
【００３４】
さらに、前記コイン通路が垂直方向に伸びていることが好ましい。
このようにコイン通路が垂直であると、コインは重力により殆ど制約を受けずにコイン通路を落下できるので、コインのスピードが増す。
したがって、ゲーム機などに用いた場合、スピーディなゲームを行うことが出来る。
【００３５】
さらにまた、コアのコイン通路に相対する形状が、横長であることが好ましい。このような横長の形状であると、コインの大小による円弧部の面積差が小さくなるので、コイン毎の判別基準を設けなくとも複数個のコインで共通の判別基準にすることができる。
【００３６】
また、コインが案内されるコイン通路と、前記コイン通路に隣接して設けられ、かつ、コインの進行方向に対しクロスする方向に間隔をおいて配置した第１のコインセンサと第２のコインセンサと、前記第１のコインセンサと前記コイン通路を挟んで相対する第３のコインセンサと、前記第２のコインセンサと前記コイン通路を挟んで相対する第４のコインセンサとを有し、それら第１、２、３、４のコインセンサはコアにコイルを巻き付けたものであるコインセンサにおいて、それらコアのコイン通路に相対する形状を矩形状にすると更に良い。
【００３７】
すなわち、このように相対したコアの間をコインが通過すると、コインの通過位置がコアの間の何処にあっても同じ出力が出るので、これによっても検出精度を向上することができる。
【００３８】
【発明の実施の形態】
図１は第１実施例の概要図図２は第１実施例のコインセンサの正面図図３は図２のＦ−Ｆ線断面図図４は図２のＧ−Ｇ線断面図
図５は第１実施例の回路説明図図６は第１実施例の大径コインを使用したときの作用説明図図７は第１実施例の小径コインを使用したときの作用説明図
図８は第１実施例の作用説明図
図９はコインセンサの第２実施例
図１０はコインセンサの第３実施例
図１１はコインセンサの第４実施例
図１２は図１１の第４実施例のコインセンサを使用し、大径コインが通過したときの電圧グラフ
図１３は図１１の第４実施例のコインセンサを使用し、小径コインが通過したときの電圧グラフ
図１４はコインセンサのコイル接続の第２の例
図１５はコインセンサのコイル接続の第３の例
図１６はコインセンサのコイル接続の第４の例
図１７はコインセンサのコイル接続の第５の例
【００３９】
従来例と同一部には同一符号を付し、異なる構成を説明する。
また、「コインセンサ」は「センサ」と略称する。
図１及び図５において１、２、３、４は、本発明に係るセンサである。
センサ１、２、３、４は同一構造であるので、センサ１を代表して説明し、センサ２の同一部位には数字２に同一アルファベットを付し、説明を省略する。
【００４０】
センサ３、４も同様に数字に同一アルファベット付し説明を省略する。
本体１Ａはフェライトなどの強磁性体により形成され、図３に示すように断面がＥ字型をしている。
本体１Ａの中央から突出するコア１Ｂは、図２に示すようにコイン通路５２と相対する面が矩形になっている。
【００４１】
このコア１Ｂに銅線を巻き付けて矩形のコイル１Ｃを形成してある。
このコイル１Ｃは、従来のように丸形であっても良いがコア１Ｂの外周にフィットした構造の方が磁束発生効率が良い。
なお、１Ｕはコア１Ｂの上方で突出している上側磁束壁である。
１Ｄはコア１Ｂの下方で突出している下側磁束壁である。
【００４２】
図１及び図５から明らかなように、センサ１はコイン通路５２の右端に位置し、コア１Ｂ、上側磁束壁１Ｕ、下側磁束壁１Ｄの端面がコイン通路５２に対面するように側壁５６に当接した状態で固定してある。
【００４３】
このセンサ１のコイン通路５２を挟んだ相対位置に、センサ３が配置してある。すなわち、コア３Ｂの端面が側壁５５に当接し、コア１Ｂと相対した状態で固定してある。
センサ１と３とで第１のセンサとしての左端センサを構成している。
【００４４】
センサ２はコイン通路５２の右端に位置し、コア２Ｂの端面がコイン通路５２に対面するように側壁５６に当接した状態で固定してある。
このセンサ２のコイン通路５２を挟んだ相対位置にセンサ４が配置してある。
【００４５】
すなわち、コア４Ｂの端面が側壁５５に当接した状態で固定してある。
これらコア２Ｂと４Ｂとは相対した位置に配置してある。
センサ２と４とで第２のセンサとしての右端センサを構成している。
【００４６】
センサ２のコイル２Ｃの巻始めは発振回路７０に接続してある。
コイル２Ｃの巻終わりは、センサ１のコイル１Ｃの巻始めに接続してある。
コイル１Ｃの巻終わりは、センサ３のコイル３Ｃの巻終わりに接続してある。
【００４７】
コイル３Ｃの巻始めは、センサ４のコイル４Ｃの巻終わりに接続してある。
コイル４Ｃの巻始めは、発振回路７０に接続してある。
これらの接続は、前記従来装置の接続と同一である。
【００４８】
センサ６６は、センサ１と２との間にそれらが横一列に並ぶよう配置してある。センサ６５は、センサ２と４との間にそれらが横一列に並ぶよう配置してある。
【００４９】
センサ６６と６５のコイル６６Ｃと６６Ｄ及びコイル６５Ｃと６５Ｄとの接続、並びに発振回路６９、７１との接続は前記従来例と同一である。
【００５０】
次に図６、図７、図８を参照して作用を説明する。
図６は大径のコインＣを使用したときのコインＣとコア３Ｂ（１Ｂ）と４Ｂ（２Ｂ）との相対位置関係を表したものである。
図６（Ａ）は、コインＣがコイン通路５２の中央部を通過するときの相対位置関係である。
【００５１】
図６（Ｂ）はコインＣが左端側へ寄って通過するときの相対関係である。
それぞれハッチングをした部位が、コア３Ｂ（１Ｂ）、４Ｂ（２Ｂ）のコインＣと相対する部位である。
図７は、小径のコインＣを使用したときのコア３Ｂ（１Ｂ）と４Ｂ（２Ｂ）との相対位置を表したものである。
【００５２】
図７（Ａ）は、コインｃがコイン通路５２の中央部を通過した場合を表している。
図７（Ｂ）は、コインｃがコイン通路５２の左側端部に偏って通過するときの相対位置関係である。
ハッチング部がコインｃとコア３Ｂ（１Ｂ）、４Ｂ（２Ｂ）との相対部位である。
【００５３】
図８はこの第１の実施例におけるコア３Ｂ（１Ｂ）と４Ｂ（２Ｂ）に対するコインＣの相対面積の説明図である。
コア３Ｂ（１Ｂ）、４Ｂ（２Ｂ）の高さ「ｙ」は一定である。
図６（Ａ）、図７（Ａ）のように、コインＣがコイン通路５２の中央を通過した場合、コア３Ｂ（１Ｂ）、４Ｂ（２Ｂ）と相対する横幅は同一の「ａ」である。
【００５４】
円形コインによる扇状部は左右とも同一半径であるから、同一面積「ｓｘ」で表すことができる。
したがって、コインが中央部を通過した場合、コア３Ｂ（１Ｂ）、４Ｂ（２Ｂ）との最大相対面積は、Ｓ１＝Ｓａ＋Ｓｂ＋２Ｓｘ＝２ａｙ＋２Ｓｘ…式１である。
【００５５】
また、図６（Ｂ）、図７（Ｂ）のようにコインが左側にずれて通過した場合、コア３Ｂ（１Ｂ）との相対横幅が「ｂ」になり、コア４Ｂ（２Ｂ）との相対横幅が「ｃ」になる。
コア４Ｂとの相対面積は、Ｓ２＝Ｓｃ＋Ｓｄ＋２Ｓｘ＝ｂｙ＋ｃｙ＋２Ｓｘ…式２である。
【００５６】
しかし、コインの直径は同一のため、２ａ＝ｂ＋ｃ…式３である。
よって、ｂｙ＋ｃｙ＝２ａｙ…式４である。
したがって、Ｓ１＝２ａｙ＋２Ｓｘ＝ｂｙ＋ｃｙ＋２Ｓｘ＝Ｓ２になる。
すなわち、コインの通過位置がずれても、コインとコア３Ｂ（１Ｂ）、４Ｂ（２Ｂ）との相対面積は同一である。
【００５７】
このように、本発明はコアのコインと相対する形状を矩形としたので、コインの通過位置が変化しても左右のコアとの相対面積の和が変わらない。
したがって、検波回路の出力電圧は一定になるものである。
【００５８】
図９はセンサの第２の実施例である。
図９（Ａ）は正面図であって、センサ１１のコア本体１１Ａは、断面矩形の棒状をしている。
図９（Ａ）のＨ−Ｈ線断面図である図９（Ｂ）から明らかなように、中央部１１Ｂに続くコア本体１１Ａの両端部をコイン通路５２側に屈曲して全体としてチャンネル状をなしている。
【００５９】
左側の端部をコア１２Ｂとし、その周囲にはコイル１２Ｃが形成してある。
右側の端部をコア１３Ｂとし、その周囲にはコイル１３Ｃが形成してある。
すなわち、コア１２Ｂ、１３Ｂが一体になった例である。
【００６０】
コア本体１１Ａとコイン通路５２を挟んで対応する、コア本体についても同一構造にする。
本実施例についても、コア１２Ｂ、１３Ｂの端面は、矩形に形成してある。
【００６１】
本実施例のようにコア１２Ａ、１３Ａが一体化していると位置関係の調整が一回で良いので、各コイルが独立しているより設定の手間が省ける利点がある。
【００６２】
図１０はセンサの第３の実施例である。
図１０（Ａ）は正面図であって、コア本体１４Ａは前記コア１１と同一の構成である。
すなわち、センサ１４のコア本体１４Ａは、断面矩形の棒状をしている。
【００６３】
図１０（Ａ）のＪ−Ｊ断面図である図１０（Ｂ）から明らかなように、その中央部１４Ｂに続くコア本体１４Ａの両端部１５Ｂ、１６Ｂをコイン通路５２側に屈曲して全体としてチャンネル状をなしている。
コイル１４Ｃは、中央部１４Ｂに巻き付けられている。
この実施例は、前記実施例と同様にコアの位置関係の調整が一回で良いので、調整の手間が省ける。
【００６４】
また、コイルの巻回部が一カ所であるので安価に製造できる。
図１１はセンサの第４の実施例である。
図１１（Ａ）から明らかなように、この実施例のセンサ１６は矩形柱状のコア１６Ｂを有する。
【００６５】
コア１６Ｂの端面は、４辺の中央部が少し膨らんだほぼ矩形状である。
また、コア１６Ｂは中央部がくびれた蝶ネクタイ状の基板１７のくびれ部から横方向に突出している。
図１１（Ａ）のＫ−Ｋ線断面図である図１１（Ｂ）の縦断面図から明らかなように、基板１７の上縁はコア１６Ｂと同方向に突出して上側磁束壁１７Ｔを構成している。
【００６６】
下縁も同様に突出して下側磁束壁１７Ｕを構成している。
１６Ｃはリング状に形成したコイルであって、コア１６Ｂに嵌合してある。
このコイル１６Ｃは、コア１６Ｂに密着して巻回して矩形状に形成してもよい。
【００６７】
この構成のセンサ１６を第１実施例のセンサ１、２、３、４に代えて採用する。
図１２は、センサ１６を採用したときの検波回路７２の電圧出力である。
すなわち、大径のコインＣが中央部を通過した場合、Ｐで示すカーブになり、コインＣが左端を通過した場合、ｐで示すカーブになる。
【００６８】
したがって、カーブＰとｐとの電圧レベル差はΔＶ３になり、従来よりも極めて小さい。
図１３は、小径のコインを使用したときの検波回路７２の電圧出力である。
【００６９】
すなわち、小径のコインｃが中央部を通過した場合、Ｑで示すカーブになり、コインｃが左側に寄って通過した場合、ｑで示すカーブになる。
したがって、カーブＱとｑとの電圧レベル差はΔＶ４になり、従来よりも極めて小さい。
【００７０】
このΔＶ３、ΔＶ４は、コア１６Ｂが僅かに中央部が膨らんだ形状をしているため、コインとコアとの相対面積の差があるため発生すると考えられる。
なお、立ち下がり立ち下がりのタイミング差は、コインの落下速度が異なるために発生している。
【００７１】
図１４はコイルの結線の別の例である。
左端センサ１０を構成する、センサ１コイル１Ｃの巻き始めをセンサ３のコイル３Ｃの巻終わりに接続してある。
コイル３Ｃの巻始めを発振回路７０Ｂに接続してある。
コイル１Ｃの巻終わりを発信回路７０Ｂに接続してある。
【００７２】
右端センサ１１を構成するセンサ２のコイル２Ｃの巻終わりをセンサ４のコイル４Ｃの巻始めに接続してある。
コイル２Ｃの巻始めとコイル４Ｃの巻終わりを発振回路７０Ａに接続してある。
【００７３】
この実施例の場合、発振回路７０Ａと７０Ｂの出力とを合成してコイン直径が正貨かどうか判別する。
本実施例は左端センサ１０および右端センサ１１に対応して発振回路７０Ａ、７０Ｂを設けたものである。
このように構成することにより、コア１Ｂ、２Ｂ、３Ｂ、４Ｂのそれぞれに対するコインの相対面積比率の変動が大きくできるので、検出精度を向上することができる。
【００７４】
図１５は図１４の例と同様に発振回路を左端センサ１０と右端センサ１１とに対応して別個に設けた例である。
コイル１Ｃ、２Ｃ、３Ｃ、４Ｃの結線が異なる。
すなわち、コイル１Ｃの巻始めはコイル３Ｃの巻始めに接続してある。
コイル１Ｃの巻終わりとコイル３Ｃの巻終わりは発振回路７０Ｂに接続してある。
【００７５】
コイル２Ｃの巻始めはコイル４Ｃの巻始めに接続してある。
コイル２Ｃの巻終わりとコイル４Ｃの巻終わりは発振回路７０Ａに接続してある。
図１６は第１の実施例と同様に発振回路７０を１つ用いる場合の別の結線である。
【００７６】
すなわち、コイル２Ｃの巻終わりとコイル４Ｃの巻始めが発振回路７０に接続してある。
コイル２Ｃの巻始めは、コイル１Ｃの巻終わりに接続してある。
コイル１Ｃの巻始めは、コイル３Ｃの巻終わりに接続してある。
コイル３Ｃの巻始めは、コイル４Ｃの巻終わりに接続してある。
この接続によっても同様の効果が得られる。
【００７７】
図１７はコイルの結線の更に別の例である。
センサ１、２を側壁５６側にのみ設けた例である。
センサが片側のみの場合、コア１Ｂ、２ＢとコインＣとの間の距離によっても発振回路７０の出力が変わるため、コインＣとコア１Ｂ、２Ｂとの距離が常に一定になるようにしなければならない。
【００７８】
このため、側壁５６を傾けてコインＣが側壁５６上を滑り落ちるように構成してある。
センサ１、２の配置は、他の実施例と同一である。
コイル２Ｃの巻終わりとコイル１Ｃの巻終わりが発振回路７０に接続してある。
コイル２Ｃの巻始めとコイル１Ｃの巻始めが接続してある。
この構成によれば、センサは片側にのみ配置すれば良いので安価に製造できる。
【００７９】
【図面の簡単な説明】
【図１】図１は第１実施例の概要図
【図２】図２は第１実施例のコインセンサの正面図
【図３】図３は図２のＦ−Ｆ線断面図
【図４】図４は図２のＧ−Ｇ線断面図
【図５】図５は第１実施例の回路説明図
【図６】図６は第１実施例の大径コインを使用したときの作用説明図
【図７】図７は第１実施例の小径コインを使用したときの作用説明図
【図８】図８は第１実施例の作用説明図
【図９】図９はコインセンサの第２実施例
【図１０】図１０はコインセンサの第３実施例
【図１１】図１１はコインセンサの第４実施例
【図１２】図１２は図１１の第４実施例のコインセンサを使用し、大径コインが通過したときの電圧グラフ
【図１３】図１３は図１１の第４実施例のコインセンサを使用し、小径コインが通過したときの電圧グラフ
【図１４】図１４はコインセンサのコイル接続の第２の例
【図１５】図１５はコインセンサのコイル接続の第３の例
【図１６】図１６はコインセンサのコイル接続の第４の例
【図１７】図１７はコインセンサのコイル接続の第５の例
【図１８】図１８は従来のコインセレクタの概要図
【図１９】図１９は従来のコインセレクタの検知回路のブロック図
【図２０】図２０は従来コインセレクタに大径コインを使用したときの作用説明図
【図２１】図２１は図２０のときの電圧グラフ
【図２２】図２２は従来のコインセレクタに小径コインを使用したときの作用説明図
【図２３】図２２のときの電圧グラフ
【符号の説明】
コイン        Ｃ、ｃ
コイン通路と  ５２
第１のコインセンサ  １０
第２のコインセンサ  １１
コア  １Ｂ、２Ｂ、３Ｂ、４Ｂ、１２Ｂ、１３Ｂ、１５Ｂ、１６Ｂ
コイル  １Ｃ、２Ｃ、３Ｃ、４Ｃ、１２Ｃ、１３Ｃ、１４Ｃ、１５Ｃ、１６Ｃ
コインセンサ    １、２、３、４、１６
【図１】
0004143711.tif 000002
【図２】
0004143711.tif 000003
【図３】
0004143711.tif 000004
【図４】
0004143711.tif 000005
【図５】
0004143711.tif 000006
【図６】
0004143711.tif 000007
【図７】
0004143711.tif 000008
【図８】
0004143711.tif 000009
【図９】
0004143711.tif 000010
【図１０】
0004143711.tif 000011
【図１１】
0004143711.tif 000012
【図１２】
0004143711.tif 000013
【図１３】
0004143711.tif 000014
【図１４】
0004143711.tif 000015
【図１５】
0004143711.tif 000016
【図１６】
0004143711.tif 000017
【図１７】
0004143711.tif 000018
【図１８】
0004143711.tif 000019
【図１９】
0004143711.tif 000020
【図２０】
0004143711.tif 000021
【図２１】
0004143711.tif 000022
【図２２】
0004143711.tif 000023
【図２３】
0004143711.tif 000024